(57)【要約】  プレゼンテーションの視聴者の資料の閲覧における利便性を向上することができる表示制御装置、表示制御方法、及びプログラムを提供する。表示制御装置（１）は、発表者が発表の際に用いるプレゼンテーション資料である第１の資料のうち現実空間に表示中のページを、仮想現実空間内の第１の位置に表示するよう制御する第１の表示制御部（２）と、第２の資料を前記仮想現実空間内の前記第１の位置とは異なる第２の位置に表示するよう制御する第２の表示制御部（３）と、前記仮想現実空間を体験する視聴者により入力された、前記第２の資料の表示についての操作入力情報である第１の操作入力情報を取得する操作入力情報取得部（４）とを有し、前記第２の表示制御部（３）は、前記第１の操作入力情報に基づいて、前記第２の資料の表示態様を変更する。
2020095784.tif 000002
【特許請求の範囲】
【請求項１】
発表者が発表の際に用いるプレゼンテーション資料である第１の資料のうち現実空間に表示中のページを、仮想現実空間内の第１の位置に表示するよう制御する第１の表示制御手段と、
第２の資料を前記仮想現実空間内の前記第１の位置とは異なる第２の位置に表示するよう制御する第２の表示制御手段と、
前記仮想現実空間を体験する視聴者により入力された、前記第２の資料の表示についての操作入力情報である第１の操作入力情報を取得する操作入力情報取得手段と
を有し、
前記第２の表示制御手段は、前記第１の操作入力情報に基づいて、前記第２の資料の表示態様を変更する
表示制御装置。
【請求項２】
前記操作入力情報取得手段は、さらに、前記仮想現実空間を体験する視聴者により入力された、前記第２の資料の内容における解説対象を指定する操作入力情報である第２の操作入力情報を取得し、
前記第２の表示制御手段は、前記第２の操作入力情報に基づいて、前記解説対象について解説する情報である解説情報を、前記仮想現実空間内にさらに表示する
請求項１に記載の表示制御装置。
【請求項３】
前記操作入力情報取得手段は、さらに、前記仮想現実空間を体験する視聴者により入力された、解説レベルを指定する操作入力情報である第３の操作入力情報を取得し、
前記第２の表示制御手段は、前記第３の操作入力情報に応じたレベルの解説情報の表示に切替える
請求項２に記載の表示制御装置。
【請求項４】
前記操作入力情報取得手段は、さらに、前記仮想現実空間を体験する視聴者により入力された、前記第１の資料又は前記第２の資料に対するコメントについての操作入力情報である第４の操作入力情報を取得し、
前記第４の操作入力情報は、資料中におけるコメント対象の位置と、コメント内容とを含み、
前記表示制御装置は、さらに、前記コメント対象の位置と、前記コメント内容とを関連づけて管理するコメント制御手段を有する
請求項１乃至３のいずれか１項に記載の表示制御装置。
【請求項５】
前記コメント制御手段は、前記第１の資料又は前記第２の資料の前記仮想現実空間内での表示の際に、前記第１の資料又は前記第２の資料における前記コメント対象の位置に関連づけて前記コメント内容を前記仮想現実空間内で表示するよう制御する
請求項４に記載の表示制御装置。
【請求項６】
前記第４の操作入力情報は、さらに、コメントの入力を行なった視聴者を識別する識別情報を含み、
前記コメント制御手段は、前記識別情報と、前記コメント対象の位置と、前記コメント内容とを関連づけて管理し、前記第１の資料又は前記第２の資料の前記仮想現実空間内での表示の際に前記コメント内容を表示するか否かを当該コメント内容に関連づけられている前記識別情報に基づいて制御する
請求項５に記載の表示制御装置。
【請求項７】
前記第２の表示制御手段は、前記第１の操作入力情報に基づいて、前記第２の資料の表示対象のページを変更する
請求項１乃至６のいずれか１項に記載の表示制御装置。
【請求項８】
前記第２の表示制御手段は、前記第１の操作入力情報に基づいて、前記第２の資料の表示サイズ及び前記第２の資料の表示位置のうち少なくともいずれか一方を変更する
請求項１乃至６のいずれか１項に記載の表示制御装置。
【請求項９】
前記第２の資料は前記プレゼンテーション資料である
請求項１乃至８のいずれか１項に記載の表示制御装置。
【請求項１０】
前記第２の資料は前記プレゼンテーション資料とは異なる資料である
請求項１乃至８のいずれか１項に記載の表示制御装置。
【請求項１１】
表示制御装置と、
前記表示制御装置の制御に従って仮想現実空間を提示するディスプレイと、
を備え、
前記表示制御装置は、
発表者が発表の際に用いるプレゼンテーション資料である第１の資料のうち現実空間に表示中のページを、仮想現実空間内の第１の位置に表示するよう制御する第１の表示制御手段と、
第２の資料を前記仮想現実空間内の前記第１の位置とは異なる第２の位置に表示するよう制御する第２の表示制御手段と、
前記仮想現実空間を体験する視聴者により入力された、前記第２の資料の表示についての操作入力情報である第１の操作入力情報を取得する操作入力情報取得手段と、
前記第１の表示制御手段及び前記第２の表示制御手段による制御にしたがった映像を出力する映像出力手段と
を有し、
前記第２の表示制御手段は、前記第１の操作入力情報に基づいて、前記第２の資料の表示態様を変更し、
前記ディスプレイは、前記表示制御装置の前記映像出力手段が出力した前記映像を前記視聴者に対し表示する
プレゼンテーションシステム。
【請求項１２】
前記第２の表示制御手段は、前記第１の操作入力情報に基づいて、前記第２の資料の表示対象のページを変更する
請求項１１に記載のプレゼンテーションシステム。
【請求項１３】
発表者が発表の際に用いるプレゼンテーション資料である第１の資料のうち現実空間に表示中のページを、仮想現実空間内の第１の位置に表示し、
第２の資料を前記仮想現実空間内の前記第１の位置とは異なる第２の位置に表示し、
前記仮想現実空間を体験する視聴者により入力された、前記第２の資料の表示についての操作入力情報である第１の操作入力情報に基づいて、前記第２の資料の表示態様を変更する
表示制御方法。
【請求項１４】
発表者が発表の際に用いるプレゼンテーション資料である第１の資料のうち現実空間に表示中のページを、仮想現実空間内の第１の位置に表示するよう制御する第１の表示制御ステップと、
第２の資料を前記仮想現実空間内の前記第１の位置とは異なる第２の位置に表示するよう制御する第２の表示制御ステップと、
前記仮想現実空間を体験する視聴者により入力された、前記第２の資料の表示についての操作入力情報である第１の操作入力情報を取得する操作入力情報取得ステップと
をコンピュータに実行させ、
前記第２の表示制御ステップでは、前記第１の操作入力情報に基づいて、前記第２の資料の表示態様を変更する
プログラムが格納された非一時的なコンピュータ可読媒体。
【発明の詳細な説明】
【技術分野】
【０００１】
本発明は表示制御装置、表示制御方法、及びプログラムに関する。
【背景技術】
【０００２】
講演や会議などで行なわれるプレゼンテーションでは、発表者と視聴者（聴講者）とが存在する。一般的に、発表者は、表示装置に表示されたプレゼンテーション資料について説明を行ない、視聴者は、この表示装置に表示されたプレゼンテーション資料を見ながら、発表者の説明を聞く。このとき、視聴者のモバイル端末に対し、プレゼンテーション資料の電子ファイルが送付されている場合、視聴者は、表示装置の画面に現在表示されているページ以外のページを、当該モバイル端末を用いて閲覧することが可能である。すなわち、表示装置の画面に表示されるプレゼンテーション資料のページは、視聴者の意思に関わらずプレゼンテーションの進行に応じて推移するが、それとは別に、視聴者はモバイル端末を用いて所望のページを閲覧できる。【０００３】
ところで、近年、仮想現実（ＶＲ：ｖｉｒｔｕａｌ  ｒｅａｌｉｔｙ）に関する研究開発が盛んに行なわれている。例えば、特許文献１は、ヘッドマウントディスプレイ（ＨＭＤ：ｈｅａｄ  ｍｏｕｎｔｅｄ  ｄｉｓｐｌａｙ）を装着したユーザの頭部の動きに基づいて、ＶＲ空間に表示された画像を拡大又は縮小させる技術について開示している。
【先行技術文献】
【特許文献】
【０００４】
【特許文献１】特開２０１６−０２４７５１号公報
【発明の概要】
【発明が解決しようとする課題】
【０００５】
上述の通り、プレゼンテーションの際、視聴者全体のための表示装置とは別に、個々の視聴者の手元の端末に資料を表示することにより、各視聴者は表示装置の画面に現在表示されている内容以外についても確認することができる。
しかしながら、この場合、視聴者は視線を手元の端末に移す必要があるため、視聴者の前方の遠くに配置された、視聴者全体のために設けられている表示装置に表示されている内容を同時に見ることができない。すなわち、プレゼンテーションの進行に沿って表示されている内容と、視聴者が参照したい内容とを両方確認するためには、視聴者は視線を大きく変更する動作を繰り返さなければならない。これは、それぞれの資料の表示位置の位置関係が、表示装置の位置及び視聴者の位置にしたがって固定的であることに起因している。【０００６】
これに対し、特許文献１は、ＶＲ空間において表示される画像の大きさを変更させることについて開示するに過ぎず、プレゼンテーションの際の複数の資料の閲覧について検討されていない。【０００７】
そこで、本明細書に開示される実施形態が達成しようとする目的の１つは、プレゼンテーションの視聴者の資料の閲覧における利便性を向上することができる表示制御装置、表示制御方法、及びプログラムを提供することにある。
【課題を解決するための手段】
【０００８】
第１の態様にかかる表示制御装置は、
発表者が発表の際に用いるプレゼンテーション資料である第１の資料のうち現実空間に表示中のページを、仮想現実空間内の第１の位置に表示するよう制御する第１の表示制御手段と、
第２の資料を前記仮想現実空間内の前記第１の位置とは異なる第２の位置に表示するよう制御する第２の表示制御手段と、
前記仮想現実空間を体験する視聴者により入力された、前記第２の資料の表示についての操作入力情報である第１の操作入力情報を取得する操作入力情報取得手段と
を有し、
前記第２の表示制御手段は、前記第１の操作入力情報に基づいて、前記第２の資料の表示態様を変更する。【０００９】
第２の態様にかかる表示制御方法では、
発表者が発表の際に用いるプレゼンテーション資料である第１の資料のうち現実空間に表示中のページを、仮想現実空間内の第１の位置に表示し、
第２の資料を前記仮想現実空間内の前記第１の位置とは異なる第２の位置に表示し、
前記仮想現実空間を体験する視聴者により入力された、前記第２の資料の表示についての操作入力情報である第１の操作入力情報に基づいて、前記第２の資料の表示態様を変更する。【００１０】
第３の態様にかかるプログラムは、
発表者が発表の際に用いるプレゼンテーション資料である第１の資料のうち現実空間に表示中のページを、仮想現実空間内の第１の位置に表示するよう制御する第１の表示制御ステップと、
第２の資料を前記仮想現実空間内の前記第１の位置とは異なる第２の位置に表示するよう制御する第２の表示制御ステップと、
前記仮想現実空間を体験する視聴者により入力された、前記第２の資料の表示についての操作入力情報である第１の操作入力情報を取得する操作入力情報取得ステップと
をコンピュータに実行させ、
前記第２の表示制御ステップでは、前記第１の操作入力情報に基づいて、前記第２の資料の表示態様を変更する。
【発明の効果】
【００１１】
上述の態様によれば、プレゼンテーションの視聴者の資料の閲覧における利便性を向上することができる表示制御装置、表示制御方法、及びプログラムを提供することができる。
【図面の簡単な説明】
【００１２】
【図１】実施の形態の概要にかかる表示制御装置の構成の一例を示すブロック図である。
【図２】実施の形態にかかるプレゼンテーションシステムの構成の一例を示す模式図である。
【図３】実施の形態１にかかる表示制御装置の機能構成の一例を示すブロック図である。
【図４】実施の形態１にかかる表示状態記憶部に記憶された表示状態データの例を示す図である。
【図５】実施の形態１にかかるヘッドマウントディスプレイにおいて表示される映像の一例を示す模式図である。
【図６】実施の形態１にかかるヘッドマウントディスプレイにおいて表示される映像の他の一例を示す模式図である。
【図７】実施の形態にかかる表示制御装置のハードウェア構成の一例を示すブロック図である。
【図８】実施の形態１にかかる参照資料表示制御部の動作の一例を示すフローチャートである。
【図９】実施の形態２にかかる表示制御装置の機能構成の一例を示すブロック図である。
【図１０】実施の形態２にかかる表示状態記憶部に記憶された表示状態データの例を示す図である。
【図１１】実施の形態２にかかるヘッドマウントディスプレイにおいて表示される映像の一例を示す模式図である。
【図１２】実施の形態２にかかる参照資料解説表示制御部の動作の一例を示すフローチャートである。
【図１３】実施の形態３にかかる表示制御装置の機能構成の一例を示すブロック図である。
【図１４】実施の形態３にかかるコメント記憶部に記憶されたコメントデータの例を示す図である。
【図１５】実施の形態３にかかるヘッドマウントディスプレイにおいて表示される映像の一例を示す模式図である。
【図１６】実施の形態３にかかる参照資料解説表示制御部及びコメント制御部の動作の一例を示すフローチャートである。
【発明を実施するための形態】
【００１３】
＜実施の形態の概要＞
実施の形態の詳細な説明に先立って、実施の形態の概要を説明する。
図１は、実施の形態の概要にかかる表示制御装置１の構成の一例を示すブロック図である。図１に示すように、表示制御装置１は、第１の表示制御部２と、第２の表示制御部３と、操作入力情報取得部４とを有する。
【００１４】
第１の表示制御部２は、発表者が発表の際に用いるプレゼンテーション資料である第１の資料のうち現実空間に表示中のページを、仮想現実空間内の第１の位置（換言すると第１の表示領域）に表示するよう制御する。例えば、第１の表示制御部２は、所定の表示装置に現在表示されているプレゼンテーション資料のページを、視聴者が装着したヘッドマウントディスプレイにおいて、仮想現実空間内の第１の位置に表示するよう制御する。所定の表示装置の表示内容、すなわち当該表示装置において表示されるプレゼンテーション資料のページは、発表者によるプレゼンテーションの進行に応じて、例えば発表者又はその補助者の操作により、変化する。仮想現実空間内の第１の位置の表示内容は、上記所定の表示装置の表示内容に同期しているため、視聴者の意思に関わらずプレゼンテーションの進行に応じて推移する。
【００１５】
第２の表示制御部３は、第２の資料を上述した仮想現実空間と同じ仮想現実空間内の第２の位置（換言すると第２の表示領域）に表示するよう制御する。ここで、第２の位置（第２の表示領域）と第１の位置（第１の表示領域）とは異なっている。例えば、第２の位置（第２の表示領域）は、第１の位置（第１の表示領域）の隣である。すなわち、第２の位置（第２の表示領域）は、第１の位置（第１の表示領域）との距離が予め定められた範囲内に位置している。なお、第２の資料は、例えば第１の位置で表示対象とされているプレゼンテーション資料と同じ資料であるが、当該プレゼンテーション資料とは別の資料であってもよい。
【００１６】
操作入力情報取得部４は、当該仮想現実空間を体験する視聴者により入力された、上記第２の資料の表示についての操作入力情報を取得する。例えば、操作入力情報取得部４は、ヘッドマウントディスプレイから送信された操作入力情報を受信することにより、これを取得する。
そして、第２の表示制御部３は、この取得された操作入力情報に基づいて、第２の資料の表示態様を変更する。
例えば、第２の表示制御部３は、この操作入力情報に基づいて、第２の資料の表示対象のページを変更してもよい。また、第２の表示制御部３は、この操作入力情報に基づいて、第２の資料の表示サイズを変更してもよい。また、第２の表示制御部３は、この操作入力情報に基づいて、第２の資料の表示位置を変更してもよい。
【００１７】
表示制御装置１によれば、仮想現実空間に、発表者がプレゼンテーションのために現在参照中のページと、視聴者が現在参照したい資料の所望のページとが同時に表示される。そして、視聴者は現在参照したい資料について、表示態様を変更可能である。ここで、視聴者が現在参照したい資料は仮想現実空間に表示されるため、視聴者の現実空間における視聴位置によらずに、当該資料の表示位置を設定することができる。このため、表示制御装置１によれば、プレゼンテーションの視聴者の資料の閲覧における利便性を向上することができる。例えば、特に、第２の位置（第２の表示領域）が第１の位置（第１の表示領域）に近接して設定されている場合、視聴者は容易に両方の資料を閲覧することができる。
【００１８】
次に、実施の形態の詳細について説明する。
＜実施の形態１＞
図２は、実施の形態にかかるプレゼンテーションシステム１０の構成の一例を示す模式図である。
プレゼンテーションシステム１０は、表示制御装置１００と、ヘッドマウントディスプレイ２００＿１、２００＿２、・・・、２００＿Ｎと、端末装置３００と、表示装置４００とを含む。ここで、Ｎは１以上の整数である。以下の説明では、ヘッドマウントディスプレイ２００＿１、２００＿２、・・・、２００＿Ｎについて、特に区別すること無く言及する場合、ヘッドマウントディスプレイ２００と称すこととする。
【００１９】
なお、図２では、理解を助けるために、プレゼンテーションを行なう人物である発表者５００と、視聴者５１０、５２０＿１、５２０＿２、・・・、５２０＿Ｎについても図示されている。
図２において、視聴者５１０は、表示装置４００に表示された資料を見ながらプレゼンテーションを聴講する視聴者である。また、視聴者５２０＿１、５２０＿２、・・・、５２０＿Ｎは、ヘッドマウントディスプレイ２００を装着し、ヘッドマウントディスプレイ２００により映し出された仮想現実空間において、プレゼンテーションを聴講する視聴者である。以下の説明では、視聴者５２０＿１、５２０＿２、・・・、５２０＿Ｎについて、特に区別すること無く言及する場合、視聴者５２０と称すこととする。
【００２０】
プレゼンテーションシステム１０は、例えば、講演、会議などのプレゼンテーションのために用いられるシステムである。
表示制御装置１００は、ヘッドマウントディスプレイ２００における表示を制御する制御装置であり、図１の表示制御装置１に相当する。表示制御装置１００は、有線又は無線により、通信可能にヘッドマウントディスプレイ２００及び端末装置３００と接続している。なお、表示制御装置１００の詳細については、後述する。
【００２１】
ヘッドマウントディスプレイ２００は、視聴者５２０の頭部に装着される表示装置であり、視聴者５２０に仮想現実空間を体験させる。ヘッドマウントディスプレイ２００としては、仮想現実空間を表示することが可能な任意のヘッドマウントディスプレイを用いることができる。例えば、ヘッドマウントディスプレイ２００は、視聴者５２０の眼前に配置されるディスプレイと、ヘッドマウントディスプレイ２００の動き（視聴者５２０の頭部の動き）を検出するモーションセンサとを備えている。なお、このモーションセンサは、例えば、速度センサ、ジャイロスコープなどといった慣性計測装置（ＩＭＵ：Ｉｎｅｒｔｉａｌ  Ｍｅａｓｕｒｅｍｅｎｔ  Ｕｎｉｔ）である。これにより、ヘッドマウントディスプレイ２００の向きや傾きといった動きが検出される。
表示制御装置１００により映像が生成され、ヘッドマウントディスプレイ２００のディスプレイには、表示制御装置１００から出力された映像が表示される。
【００２２】
また、ヘッドマウントディスプレイ２００は、視聴者５２０の操作入力を受け付ける入力インタフェースを備えている。この入力インタフェースは、ヘッドマウントディスプレイ２００に内蔵されていてもよいし、ヘッドマウントディスプレイ２００に接続されていてもよい。
【００２３】
入力インタフェースとしては、視聴者５２０の操作入力を受け付けることが可能な任意の入力インタフェースを用いることができる。例えば、入力インタフェースは、アイトラッキングセンサ（視線追跡センサ）であってもよいし、視聴者５２０の手又は指の動きといったジェスチャーを検出するモーションセンサであってもよい。また、入力インタフェースは、操作スティック、キーボード、マウス等であってもよい。さらに、視聴者５２０の頭部の動き（具体的には、例えば視聴者５２０の頭部の上下方向の動きなど）を操作入力に対応させている場合、ヘッドマウントディスプレイ２００の動きを検出する上述したモーションセンサが入力インタフェースとして利用されてもよい。
【００２４】
端末装置３００は、有線又は無線により、通信可能に表示装置４００及び表示制御装置１００と接続している。端末装置３００は、表示装置４００にプレゼンテーション資料を出力するための情報処理装置である。
端末装置３００は、プレゼンテーション資料の任意のページの画像を表示装置４００に出力する。そして、端末装置３００は、マウスなどの入力インタフェースを備えており、発表者５００又はその補助者などの操作入力に従い、プレゼンテーションの進行に応じた適切なページの画像を表示装置４００に出力する。
【００２５】
表示装置４００は、有線又は無線により、通信可能に端末装置３００と接続している。表示装置４００は、端末装置３００から受信した画像を表示するディスプレイである。表示装置４００は、液晶ディスプレイなどのフラットパネルディスプレイであってもよいし、スクリーンに画像を投影するプロジェクタであってもよい。
【００２６】
次に、表示制御装置１００について説明する。
図３は、実施の形態１にかかる表示制御装置１００の機能構成の一例を示すブロック図である。
表示制御装置１００は、空間表示制御部１０１と、資料記憶部１０２と、表示状態記憶部１０３と、操作入力情報取得部１０４と、表示内容取得部１０５と、発表者用資料表示制御部１０６と、参照資料表示制御部１０７と、映像出力部１０８とを有する。
【００２７】
空間表示制御部１０１は、ヘッドマウントディスプレイ２００において、仮想現実空間を表示するよう制御する。空間表示制御部１０１は、ヘッドマウントディスプレイ２００により検出されたヘッドマウントディスプレイ２００の動きに応じて、仮想現実空間の表示を変化させてもよい。また、空間表示制御部１０１は、視聴者５２０の操作入力に応じて、仮想現実空間の表示を変化させてもよい。
【００２８】
また、空間表示制御部１０１は、仮想現実空間内に、後述するメニューを表示するよう制御してもよい。メニューは、例えばヘッドマウントディスプレイ２００毎に表示される。また、空間表示制御部１０１は、メニューの表示を、視聴者５２０の操作入力に応じて制御してもよい。
【００２９】
また、空間表示制御部１０１は、発表者５００のアバターを表示するよう制御してもよい。なお、このアバターは、発表者５００のジェスチャーを反映させて表示が変化してもよい。この場合、発表者５００の実際のジェスチャーをカメラ又はモーションセンサなどのモーションキャプチャデバイスにより取得し、取得したジェスチャー情報が表示制御装置１００に入力される。そして、空間表示制御部１０１はジェスチャー情報に応じて、アバターを動かすよう表示を制御する。
【００３０】
資料記憶部１０２は、仮想現実空間に表示する資料の電子ファイルを予め記憶している。この電子ファイルは、例えば発表者５００が発表の際に用いるプレゼンテーション資料（表示装置４００に表示される資料）であってもよいし、それとは異なる別の資料であってもよい。
また、表示状態記憶部１０３は、表示状態データを記憶する。表示状態データの詳細については後述する。
【００３１】
操作入力情報取得部１０４は、ヘッドマウントディスプレイ２００の入力インタフェースを介して入力された操作内容を示す情報である操作入力情報を取得する。操作入力情報取得部１０４は、例えば、ヘッドマウントディスプレイ２００から出力された操作入力情報を受信することにより、これを取得する。
【００３２】
表示内容取得部１０５は、表示装置４００における現在の表示内容を取得する。例えば、表示内容取得部１０５は、端末装置３００から、表示装置４００における現在の表示内容を受信することより取得する。具体的には、例えば、表示内容を特定するための情報である内容特定情報（例えば、ファイル名及び表示中のページ番号など）を取得する。なお、表示内容取得部１０５は、内容特定情報の代わりに、端末装置３００が表示装置４００に出力している画像データを取得してもよい。
【００３３】
発表者用資料表示制御部１０６は、図１の第１の表示制御部２に対応している。発表者用資料表示制御部１０６は、表示内容取得部１０５が取得した情報に従って、表示装置４００における現在の表示内容を、仮想現実空間内の所定の座標位置（上述した第１の位置）に表示するよう制御する。例えば、発表者用資料表示制御部１０６は、内容特定情報で特定されるプレゼンテーション資料を資料記憶部１０２から取得するとともに、当該内容特定情報により特定されたページの画像を仮想現実空間内に表示するように制御する。なお、表示装置４００が現在表示している画像を表示内容取得部１０５が取得した場合には、発表者用資料表示制御部１０６は、当該画像を仮想現実空間内に表示するように制御する。
【００３４】
参照資料表示制御部１０７は、図１の第２の表示制御部３に対応している。参照資料表示制御部１０７は、資料記憶部１０２に記憶されている資料を仮想現実空間内に表示する。なお、参照資料表示制御部１０７により表示される資料を以下の説明では参照資料と称す。参照資料は、上述した第２の資料に相当する。
本実施の形態では、参照資料の初期表示位置（上述した第２の位置）は、発表者用資料表示制御部１０６により仮想現実空間に表示されたプレゼンテーション資料に近接した所定の位置である。ただし、本実施の形態において、参照資料の表示位置は、視聴者５２０の操作により変更することができる。
【００３５】
参照資料表示制御部１０７は、参照資料として、プレゼンテーション資料を表示してもよいし、プレゼンテーション資料とは異なる資料を表示してもよい。参照資料がプレゼンテーション資料である場合、視聴者５２０は、操作により、当該プレゼンテーション資料の所望のページを閲覧することができる。同様に、参照資料がプレゼンテーション資料以外の資料である場合、視聴者５２０は、操作により、当該資料の所望のページを閲覧することができる。つまり、視聴者５２０は、プレゼンテーション時に、発表者５００が現在参照しているページに関わらず、所望の内容を参照することができる。
【００３６】
例えば、参照資料表示制御部１０７は、参照資料としての表示対象である資料を資料記憶部１０２から取得し、仮想現実空間内に表示するように制御する。なお、表示される参照資料がプレゼンテーション資料以外の資料である場合、プレゼンテーション資料以外の予め定められた資料を資料記憶部１０２から取得してもよいし、視聴者５２０の操作により選択された資料を資料記憶部１０２から取得してもよい。視聴者５２０の操作により選択された資料を表示する場合、例えば、参照資料を選択する操作入力を示す操作入力情報に基づいて、参照資料表示制御部１０７は資料を選択する。
【００３７】
また、参照資料表示制御部１０７は、操作入力情報取得部１０４が取得した、参照資料の表示についての操作入力情報に基づいて、参照資料の表示態様を変更する。
【００３８】
例えば、参照資料の表示についての操作入力情報は、表示する対象のページを変更することを指示する操作入力情報である。参照資料表示制御部１０７は、このような操作入力情報がヘッドマウントディスプレイ２００から送信された場合、当該ヘッドマウントディスプレイ２００において表示する参照資料のページを、操作入力情報にしたがって変更するよう制御する。これにより、当該ヘッドマウントディスプレイ２００を装着した視聴者５２０は、閲覧するページを自由に変更することができる。
【００３９】
また、例えば、参照資料の表示についての操作入力情報は、参照資料の表示サイズを変更することを指示する操作入力情報である。参照資料表示制御部１０７は、このような操作入力情報がヘッドマウントディスプレイ２００から送信された場合、当該ヘッドマウントディスプレイ２００において表示する参照資料の表示サイズを、操作入力情報にしたがって変更するよう制御する。これにより、当該ヘッドマウントディスプレイ２００を装着した視聴者５２０は、参照資料の表示サイズを自由に変更することができる。
【００４０】
また、例えば、参照資料の表示についての操作入力情報は、参照資料の表示位置を変更することを指示する操作入力情報である。参照資料表示制御部１０７は、このような操作入力情報がヘッドマウントディスプレイ２００から送信された場合、当該ヘッドマウントディスプレイ２００において表示する参照資料の表示位置を、操作入力情報にしたがって変更するよう制御する。これにより、当該ヘッドマウントディスプレイ２００を装着した視聴者５２０は、参照資料の表示位置を自由に変更することができる。
【００４１】
なお、操作入力情報は、ヘッドマウントディスプレイ２００の入力インタフェースを介して視聴者５２０が入力した操作入力に対応した情報である。上述した通り、操作入力は視聴者５２０の視線であってもよいし、頭部若しくは手などによるジェスチャーであってもよいし、操作スティック、キーボード、マウス等の操作であってもよい。
【００４２】
例えば、視聴者５２０の頭部（手）の動きに応じて、参照資料の表示ページが変更されてもよい。すなわち、例えば、視聴者５２０が所定の方向に頭部（手）を振ったことを示す操作入力情報を操作入力情報取得部１０４が取得した場合、参照資料表示制御部１０７は現在表示されている参照資料のページを１ページ進めて（戻して）もよい。
また、例えば、視線追跡センサ、操作スティック、マウスなどのポインティングデバイスにより検出されたポイント位置に対応するメニューが示す操作内容、若しくはキーボードにより指定されたメニューが示す操作内容が操作入力情報として取得されてもよい。
なお、これらは操作入力の例に過ぎない。すなわち、操作入力情報取得部１０４は、任意の方法により視聴者５２０が入力した所定の操作を示す情報を取得すればよい。
また、操作入力情報により変更される表示態様は、上述した表示態様の変更に限定されない。例えば、参照資料表示制御部１０７は、操作入力情報に従い、参照資料の表示を複製してもよい。
【００４３】
また、本実施の形態では、一例として、参照資料表示制御部１０７は、仮想現実空間における参照資料の表示状態を示す表示状態データを管理することにより、操作入力情報に応じた表示を実現する。
【００４４】
図４は、表示状態記憶部１０３に記憶された表示状態データの例を示す図である。
表示状態データは、各ヘッドマウントディスプレイ２００に現在表示している参照資料についての表示状態を表すデータである。表示状態データは、例えば、図４に示すように、状態ＩＤと、資料ＩＤと、ユーザＩＤと、座標と、倍率と、ページ番号とを含む。
【００４５】
状態ＩＤは、表示状態データを識別する識別子である。
資料ＩＤは、表示されている参照資料を識別する識別子であり、資料ＩＤにより、現在表示中の参照資料が特定される。
ユーザＩＤは、いずれのヘッドマウントディスプレイ２００（視聴者５２０）に対して表示しているかを識別する識別子である。
表示状態データを構成する座標データは、参照資料の表示位置を示す座標データであり、参照資料の左上端部の仮想現実空間上の座標を示す第１の座標と、参照資料の右下端部の仮想現実空間上の座標を示す第２の座標とからなる。これらの座標は、３次元空間である仮想現実空間の（ｘ座標，ｙ座標，ｚ座標）により構成されている。
倍率は、参照資料の現在の表示倍率を示す。
ページ番号は、参照資料のどのページが表示されているかを示す。
例えば、参照資料のページを１ページ進めることを指示する操作入力情報を操作入力情報取得部１０４が取得した場合、参照資料表示制御部１０７は、表示状態データが示す現在のページ番号に基づいて、新たに表示すべきページを特定する。そして、表示態様の変更が行なわれる際、参照資料表示制御部１０７は、表示状態データのページ番号を更新する。
【００４６】
また、例えば、参照資料の表示サイズを拡大することを指示する操作入力情報を操作入力情報取得部１０４が取得した場合、参照資料表示制御部１０７は、表示状態データが示す現在の倍率及び表示位置に基づいて、新たな倍率及び表示位置を計算する。そして、表示態様の変更が行なわれる際、参照資料表示制御部１０７は、表示状態データにおけるこれらの情報を更新する。
【００４７】
また、例えば、参照資料の仮想現実空間における表示位置を変更することを指示する操作入力情報を操作入力情報取得部１０４が取得した場合、参照資料表示制御部１０７は、表示状態データが示す現在の表示位置に基づいて、新たな表示位置を計算する。そして、表示態様の変更が行なわれる際、参照資料表示制御部１０７は、表示状態データにおける表示位置を更新する。
【００４８】
映像出力部１０８は、空間表示制御部１０１、発表者用資料表示制御部１０６、及び、参照資料表示制御部１０７による制御にしたがった映像を、ヘッドマウントディスプレイ２００に出力する。映像出力部１０８から送信された映像データは、ヘッドマウントディスプレイ２００において受信され、ヘッドマウントディスプレイ２００において視聴者５２０に対して表示される。
【００４９】
図５は、ヘッドマウントディスプレイ２００において表示される映像の一例を示す模式図である。
図５において、表示２１０は、発表者用資料表示制御部１０６の制御により表示されるプレゼンテーション資料である。すなわち、表示２１０は表示内容が表示装置４００の表示内容と同期している。つまり、表示２１０は、プレゼンテーションの進行に応じて、視聴者５２０の意思とは無関係にページが変更する。
【００５０】
また、図５において、表示２１１は、参照資料表示制御部１０７の制御により表示される参照資料（例えば資料ＩＤがＤ０００１である資料）である。表示２１１は、例えば、表示２１０として表示されているプレゼンテーション資料の任意のページである。また、例えば、参照資料の初期表示位置（表示２１１の初期表示位置）は、図５に示すように、表示２１０に近接した位置である。参照資料表示制御部１０７が、初期表示位置として、このような位置を用いる場合、視聴者５２０は、容易に、発表者５００が参照中のプレゼンテーション資料と、自らが参照したい資料とを閲覧することができる。
【００５１】
また、図５に示した例では、表示２１０、表示２１１に加え、表示２１２が仮想現実空間において表示される。表示２１２は、参照資料の表示についての操作入力のためのメニューである。
例えば、視聴者５２０がメニュー２１２Ａをポインティングデバイスにより指定した後に表示されるサブメニュー（不図示）をポインティングデバイスにより指定することで、仮想現実空間に表示する参照資料を選択することができる。
【００５２】
また、例えば、視聴者５２０がメニュー２１２Ｂ又はメニュー２１２Ｃをポインティングデバイスにより指定することにより、表示２１１のページが切り替わる。
また、例えば、視聴者５２０がメニュー２１２Ｄをポインティングデバイスにより指定することで、表示２１１の仮想現実空間における表示位置が変更される。例えば、参照資料表示制御部１０７は、表示位置を所定の位置に変更してもよいし、ポインティングデバイスにより指定された位置に変更してもよい。
また、例えば、視聴者５２０がメニュー２１２Ｅ又はメニュー２１２Ｆをポインティングデバイスにより指定することにより、表示２１１の大きさが変更される。変更後の大きさは、所定の大きさであってもよいし、操作入力により指定されてもよい。
【００５３】
なお、図５に示したメニューの表示は、一例であり、他の内容のメニューが表示されてもよい。また、操作入力がジェスチャーで行なわれる場合などには、メニューの表示が省略されてもよい。
【００５４】
図６は、ヘッドマウントディスプレイ２００において表示される映像の他の一例を示す模式図である。
図５に示した例では、表示２１１が参照資料の１ページ分の画像を表示していた。これに対し、図６に示した例では、表示２１１が参照資料の複数ページ分の画像を表示している。このように、参照資料表示制御部１０７は、参照資料の複数のページを同時に表示してもよい。
【００５５】
なお、図５及び図６に示した例では、本実施の形態の理解のため、ｘ軸、ｙ軸、ｚ軸からなる座標軸も図示している。ただし、座標軸の設定は一例であり、各軸の方向として別の設定がされていてもよい。また、図５及び図６に示した例では、発表者５００のアバターが示されていないが、上述した通り、さらに、発表者５００のアバターが表示されてもよい。なお、これらのことは、実施の形態２の説明で参照される図及び実施の形態３の説明で参照される図においても同様である。
【００５６】
次に、表示制御装置１００のハードウェア構成について説明する。
図７は、表示制御装置１００のハードウェア構成の一例を示すブロック図である。図７に示すように、表示制御装置１００は、例えば、ネットワークインタフェース１５０と、メモリ１５１と、プロセッサ１５２とを有するサーバとして構成されている。
【００５７】
ネットワークインタフェース１５０は、ヘッドマウントディスプレイ２００及び端末装置３００との通信を行うために使用される。ネットワークインタフェース１５０は、例えば、ネットワークインタフェースカード（ＮＩＣ）を含んでもよい。
【００５８】
メモリ１５１は、例えば揮発性メモリ及び不揮発性メモリの組み合わせによって構成される。メモリ１５１は、プロセッサ１５２により実行される、１以上の命令を含むソフトウェア（コンピュータプログラム）などを格納するために使用される。
【００５９】
これらのプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌe  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Ｃｏｍｐａｃｔ  Ｄｉｓｃ  Ｒｅａｄ  Ｏｎｌｙ  Ｍｅｍｏｒｙ（ＣＤ−ＲＯＭ）、ＣＤ−Ｒ、ＣＤ−Ｒ／Ｗ、半導体メモリ（例えば、マスクＲＯＭ、Ｐｒｏｇｒａｍｍａｂｌｅ  ＲＯＭ（ＰＲＯＭ）、Ｅｒａｓａｂｌｅ  ＰＲＯＭ（ＥＰＲＯＭ）、フラッシュＲＯＭ、Ｒａｎｄｏｍ  Ａｃｃｅｓｓ  Ｍｅｍｏｒｙ（ＲＡＭ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６０】
プロセッサ１５２は、例えば、マイクロプロセッサ、ＭＰＵ(Ｍｉｃｒｏ  Ｐｒｏｃｅｓｓｏｒ  Ｕｎｉｔ)、又はＣＰＵ(Ｃｅｎｔｒａｌ  Ｐｒｏｃｅｓｓｉｎｇ  Ｕｎｉｔ)などであってもよい。プロセッサ１５２は、複数のプロセッサを含んでもよい。
【００６１】
プロセッサ１５２は、メモリ１５１からプログラムを読み出して実行することで、空間表示制御部１０１、操作入力情報取得部１０４、表示内容取得部１０５、発表者用資料表示制御部１０６、参照資料表示制御部１０７、及び映像出力部１０８の処理を行う。なお、表示制御装置１００の資料記憶部１０２及び表示状態記憶部１０３は、メモリ１５１又は記憶装置（図示せず）により実現される。
【００６２】
このように、表示制御装置１００は、コンピュータとして機能する。なお、ヘッドマウントディスプレイ２００、端末装置３００、及び表示装置４００についても、図７に示したようなハードウェア構成を有してもよい。すなわち、これらもコンピュータとしての機能を有し、プロセッサがプログラムを実行し種々の処理を実行してもよい。
【００６３】
次に、参照資料の表示についての動作例について説明する。
図８は、参照資料表示制御部１０７の動作の一例を示すフローチャートである。図８では、視聴者５２０のうちいずれか（ここでは、ユーザＸと称すこととする）が装着しているヘッドマウントディスプレイ２００についての参照資料の表示制御を示している。なお、ユーザＸ以外の視聴者５２０が装着しているヘッドマウントディスプレイ２００についても、同様に参照資料の表示制御が行なわれる。以下、図８に沿って、参照資料表示制御部１０７の動作の一例について説明する。
【００６４】
ステップＳ１００において、参照資料表示制御部１０７は操作入力情報取得部１０４がユーザＸからの操作入力についての操作入力情報を取得したか否かを確認する。なお、ヘッドマウントディスプレイ２００と当該ヘッドマウントディスプレイ２００とを装着する視聴者５２０とは、表示制御装置１００において、予め関連づけられて管理されている。ユーザＸからの操作入力についての操作入力情報が取得されると（ステップＳ１００でＹｅｓ）、処理はステップＳ１０１へ移行する。
【００６５】
ステップＳ１０１において、参照資料表示制御部１０７は、取得された操作入力情報が表示対象とする参照資料を選択する操作入力情報であるか否かを判定する。
取得された操作入力情報が表示対象とする参照資料を選択する操作入力情報である場合（ステップＳ１０１でＹｅｓ）、ステップＳ１０２において、参照資料表示制御部１０７は指定された資料を参照資料として表示する。なお、参照資料は、複数表示されてもよい。
取得された操作入力情報が表示対象とする参照資料を選択する操作入力情報ではない場合（ステップＳ１０１でＮｏ）、処理はステップＳ１０３へ移行する。
【００６６】
ステップＳ１０３において、参照資料表示制御部１０７は、取得された操作入力情報が表示する対象のページを変更することを指示する操作入力情報であるか否かを判定する。
取得された操作入力情報が表示する対象のページを変更することを指示する操作入力情報である場合（ステップＳ１０３でＹｅｓ）、ステップＳ１０４において、参照資料表示制御部１０７は、参照資料について、操作に応じたページを表示する。
取得された操作入力情報が表示する対象のページを変更することを指示する操作入力情報ではない場合（ステップＳ１０３でＮｏ）、処理はステップＳ１０５へ移行する。
【００６７】
ステップＳ１０５において、参照資料表示制御部１０７は、取得された操作入力情報が参照資料の表示位置を変更することを指示する操作入力情報であるか否かを判定する。
取得された操作入力情報が参照資料の表示位置を変更することを指示する操作入力情報である場合（ステップＳ１０５でＹｅｓ）、ステップＳ１０６において、参照資料表示制御部１０７は、操作に応じた位置に参照資料を表示する。
取得された操作入力情報が参照資料の表示位置を変更することを指示する操作入力情報ではない場合（ステップＳ１０５でＮｏ）、処理はステップＳ１０７へ移行する。
【００６８】
ステップＳ１０７において、参照資料表示制御部１０７は、取得された操作入力情報が参照資料の表示サイズを変更することを指示する操作入力情報であるか否かを判定する。
取得された操作入力情報が参照資料の表示サイズを変更することを指示する操作入力情報である場合（ステップＳ１０７でＹｅｓ）、ステップＳ１０８において、参照資料表示制御部１０７は、参照資料について、操作に応じた倍率で参照資料を表示する。
取得された操作入力情報が参照資料の表示サイズを変更することを指示する操作入力情報ではない場合（ステップＳ１０７でＮｏ）、処理はステップＳ１００へ戻る。
【００６９】
なお、図８に示した制御の流れは一例に過ぎない。したがって、例えば、図８に示した処理順序と異なる処理順序で制御が行なわれてもよい。また、図８に示したフローチャートでは、参照資料の表示態様の変更として、ページ、表示位置、及びサイズの変更が可能であるが、これらのうち１種類の表示態様のみが変更可能であってもよい。また、２種類以上の任意の組み合わせについて表示態様が変更可能であってもよい。
【００７０】
以上、実施の形態１について説明した。本実施の形態によれば、仮想現実空間に、プレゼンテーション資料と参照資料とが、視聴者の現実空間における視聴位置に依存せずに同時に表示される。そして、視聴者５２０は参照資料の表示態様を自由に変更可能である。このため、表示制御装置１００によれば、プレゼンテーションの視聴者の資料の閲覧における利便性を向上することができる。
【００７１】
＜実施の形態２＞
次に、実施の形態２について説明する。
実施の形態２は、資料に記載された内容を解説する解説情報をさらに仮想現実空間に表示する点で実施の形態１と異なっている。
図９は、実施の形態２にかかる表示制御装置１２０の機能構成の一例を示すブロック図である。表示制御装置１２０は、参照資料表示制御部１０７が参照資料解説表示制御部１２１に置き換わった点で、上述した表示制御装置１００と異なっている。このため、映像出力部１０８は、空間表示制御部１０１、発表者用資料表示制御部１０６、及び、参照資料解説表示制御部１２１による制御にしたがった映像を、ヘッドマウントディスプレイ２００に出力する。
【００７２】
なお、表示制御装置１２０も、図７に示したハードウェア構成を備えており、プロセッサ１５２がメモリ１５１から読み出したプログラムを実行することにより、参照資料解説表示制御部１２１の処理が実現される。以下の説明では、表示制御装置１００と重複する構成及び動作については説明を省略し、表示制御装置１００と異なる点について説明する。
【００７３】
本実施の形態における操作入力情報取得部１０４は、参照資料の表示についての操作入力情報に限らず、仮想現実空間を体験する視聴者５２０により入力された、参照資料の内容における解説対象を指定する操作入力情報も取得する。視聴者５２０は、仮想現実空間に表示された参照資料において解説を見たい箇所を指定する操作入力を行なう。
【００７４】
参照資料解説表示制御部１２１は、参照資料の表示制御に加え、解説情報の表示制御をさらに行なう点で、実施の形態１における参照資料表示制御部１０７と異なっている。参照資料解説表示制御部１２１は、参照資料の内容における解説対象を指定する操作入力情報に基づいて、当該解説対象について解説する情報である解説情報を、仮想現実空間内に表示する。
【００７５】
解説情報は、例えば、資料記憶部１０２に記憶されている。各解説情報は、参照資料における解説対象と関連づけて、資料記憶部１０２に記憶されている。この場合、参照資料解説表示制御部１２１は、当該操作入力情報により指定された解説対象と関連づけられている解説情報を資料記憶部１０２から読み出して、仮想現実空間に表示する。参照資料解説表示制御部１２１は、例えば、解説対象の近傍の位置に、解説情報を表示するよう制御する。また、参照資料解説表示制御部１２１は、解説対象と解説情報との対応関係が明確になるよう、これらを線で結ぶなどして、解説情報を表示してもよい。
【００７６】
また、特に、本実施の形態では、表示制御装置１２０は、様々な解説レベルの解説情報を表示することができる。ここで、解説レベルとは、解説情報が示す説明内容の詳細さ又は解説情報が示す用語の平易さを示すレベルである。様々な解説レベルの解説情報を表示することを可能にするため、本実施の形態では、操作入力情報取得部１０４は、仮想現実空間を体験する視聴者により入力された、解説レベルを指定する操作入力情報も取得することができる。
【００７７】
参照資料解説表示制御部１２１は、例えば、解説対象を指定する操作入力情報が取得されると、所定のレベルの解説情報を表示するよう制御する。そして、参照資料解説表示制御部１２１は、解説レベルを指定する操作入力情報が取得されると、当該操作入力情報で指定されたレベルの解説情報の表示に切替える。この場合、資料記憶部１０２には、１つの解説対象に対し、解説レベルの異なる複数の解説情報が対応づけて記憶されている。
【００７８】
本実施の形態では、一例として、参照資料解説表示制御部１２１は、仮想現実空間における参照資料の表示状態を示す表示状態データ及び解説情報の表示状態を管理することにより、操作入力情報に応じた表示を実現する。
【００７９】
図１０は、実施の形態２にかかる表示状態記憶部１０３に記憶された表示状態データの例を示す図である。
図１０において、状態ＩＤがＳ０００１である表示状態データ及び状態ＩＤがＳ０００２である表示状態データが、参照資料の表示状態を示す表示状態データの具体例である。そして、状態ＩＤがＳ０００８である表示状態データが、解説情報（資料ＩＤ：Ｄ０００１−ａ００７）の表示状態を示す表示状態データの具体例である。資料ＩＤがＤ０００１−ａ００７である解説情報は、例えば資料ＩＤがＤ０００１である参照資料についての解説情報である。
【００８０】
図１０に示すように、解説情報の表示状態を示す表示状態データは、状態ＩＤ、資料ＩＤ、ユーザＩＤ、座標、倍率、及びページ番号のみならず、レベルを含む。レベルは、現在表示されている解説情報の解説レベルを示す。
【００８１】
例えば、解説レベルを１段階上げることを指示する操作入力情報を操作入力情報取得部１０４が取得した場合、参照資料解説表示制御部１２１は、表示状態データが示す現在の解説レベルに基づいて、新たに表示すべき解説情報を特定する。そして、表示態様の変更が行なわれる際、参照資料解説表示制御部１２１は、表示状態データのレベルを更新する。
【００８２】
なお、図１０に示されるように、本実施の形態では、解説情報についても、座標、倍率、及びページ番号が表示状態データとして管理されている。したがって、参照資料と同様、解説情報の表示態様についても、操作入力情報取得部１０４が取得した解説情報についての操作入力情報に従って、変更されてもよい。
【００８３】
図１１は、実施の形態２にかかるヘッドマウントディスプレイ２００において表示される映像の一例を示す模式図である。
図１１において、表示２１０は、発表者用資料表示制御部１０６の制御により表示されるプレゼンテーション資料である。また、図１１において、表示２１１は、参照資料解説表示制御部１２１の制御により表示される参照資料である。さらに、表示２２０は、参照資料解説表示制御部１２１の制御により表示される解説情報である。より具体的には、表示２２０は、操作入力により指定された解説対象２２１についての解説情報である。
表示２２０の表示位置は、例えば、参照資料についての表示状態データで示される表示位置に基づいて、参照資料解説表示制御部１２１によって計算される。例えば、参照資料解説表示制御部１２１は、他の表示（例えば、表示２１０）と重複しない位置を解説対象に近接する位置を解説情報の表示位置として算出する。また、参照資料解説表示制御部１２１は、解説対象に近接する位置を解説情報の表示位置として算出してもよい。
【００８４】
また、図１１に示した例では、表示２１０、表示２１１、表示２２０に加え、表示２２２が仮想現実空間において表示される。表示２２２は、参照資料の表示及び解説情報の表示についての操作入力のためのメニューである。
例えば、視聴者５２０がメニュー２１２Ｇをポインティングデバイスにより指定した後に、解説対象が表示されている位置、すなわち、解説をして欲しい記載が存在する位置をポインティングデバイスにより指定することで、解説対象が指定される。
また、例えば視聴者５２０が表示２２０上などでスワイプする動作を、ポインティングデバイスなどを介して行なうことより、解説レベルを指定（変更）する操作入力が行なわれる。これにより、操作入力情報取得部１０４によって、解説レベルを指定（変更）する操作入力情報が取得される。
【００８５】
なお、解説対象の指定及び解説レベルの指定についての上述した操作入力は、一例であり、これらに限られない。例えば、参照資料解説表示制御部１２１は、解説情報を提供することが可能である対象の付近に、所定のアイコンを表示してもよい。そして、この所定のアイコンがポインティングデバイスにより指定されることで、解説対象が指定されてもよい。なお、所定のアイコンは、例えば、解説を参照することが可能であることを明示するアイコンである。具体的には、例えば、アイコンは、クエスチョンマークを模したアイコンであってもよいし、ルーペを模したアイコンであってもよいが、これらに限定されない。
また、解説レベルを指定する操作入力は、レベルの指定を行なうためのメニューをポインティングデバイスにより指定することで行なわれてもよい。
このように、操作入力の具体的な方法としては任意の構成が可能であり、いずれかの操作入力方法に限定されない。
【００８６】
次に、本実施の形態にかかる参照資料解説表示制御部１２１の表示制御についての動作例について説明する。
図１２は、参照資料解説表示制御部１２１の動作の一例を示すフローチャートである。図１２では、図８と同様、ユーザＸが装着しているヘッドマウントディスプレイ２００についての表示制御を示している。ユーザＸ以外の視聴者５２０が装着しているヘッドマウントディスプレイ２００についても、同様に表示制御が行なわれる。
【００８７】
なお、図１２に示すフローチャートは、解説情報の表示に関する制御が追加されている点で、図８に示したフローチャートと異なっている。具体的には、図１２に示すフローチャートは、ステップＳ１０９からステップＳ１１２が追加されている点で、図８に示したフローチャートと異なっている。以下、図１２に沿って、参照資料解説表示制御部１２１の動作の一例について説明する。ただし、図８の説明と重複する説明については割愛する。
【００８８】
図８に示したフローチャートでは、ステップＳ１０７でＮｏである場合、処理がステップＳ１００に戻ったが、図１２に示すフローチャートでは、処理がステップＳ１０９へ移行する。
【００８９】
ステップＳ１０９において、参照資料解説表示制御部１２１は、操作入力情報取得部１０４により取得された操作入力情報が参照資料の内容における解説対象を指定する操作入力情報であるか否かを判定する。
取得された操作入力情報が参照資料の内容における解説対象を指定する操作入力情報である場合（ステップＳ１０９でＹｅｓ）、ステップＳ１１０において、参照資料解説表示制御部１２１は、指定された解説対象に対応する解説情報を表示する。
取得された操作入力情報が参照資料の内容における解説対象を指定する操作入力情報ではない場合（ステップＳ１０９でＮｏ）、処理はステップＳ１１１へ移行する。
【００９０】
ステップＳ１１１において、参照資料解説表示制御部１２１は、操作入力情報取得部１０４により取得された操作入力情報が解説レベルを指定する操作入力情報であるか否かを判定する。
取得された操作入力情報が解説レベルを指定する操作入力情報である場合（ステップＳ１１１でＹｅｓ）、ステップＳ１１２において、参照資料解説表示制御部１２１は、指定されたレベルの解説情報に表示を切替える。
取得された操作入力情報が解説レベルを指定する操作入力情報ではない場合（ステップＳ１１１でＮｏ）、処理はステップＳ１００へ戻る。
【００９１】
なお、図１２に示した制御の流れは一例に過ぎない。したがって、例えば、図１２に示した処理順序と異なる処理順序で制御が行なわれてもよい。
また、上述した実施の形態では、解説情報は予め資料記憶部１０２に記憶されているが、解説情報は、インターネット等のネットワークを介して外部のサーバ（検索サーバ）から取得されてもよい。すなわち、参照資料解説表示制御部１２１は、解説対象の用語を外部のサーバへ送信し、このサーバが提供する検索エンジンによる検索結果を解説情報として取得してもよい。
【００９２】
以上、実施の形態２について説明した。本実施の形態によれば、視聴者５２０は、参照資料のみならず、解説情報を閲覧することができる。また、これらは仮想現実空間において表示されるため、特に次のような利点がある。
仮に、参照資料及び解説情報をモバイル端末のディスプレイにより現実空間に表示した場合、当該モバイル端末のディスプレイのサイズ内で、複数のウィンドウを表示しなければならない。このため、一方のウィンドウに他方のウィンドウを重複して表示する、若しくは、ウィンドウ同士が干渉しないように表示サイズを小さくして表示する、といった対応が必要となる。その結果、見づらい表示となってしまう。これに対し、本実施の形態では、仮想現実空間においてプレゼンテーション資料、参照資料、及び解説情報が表示される。このため、現実空間に表示する場合に比べて、広い範囲を表示のために使うことが可能となり、見やすい表示となる。
【００９３】
＜実施の形態３＞
次に、実施の形態３について説明する。実施の形態３は、資料に対するコメントを管理することができる点で、上述した実施の形態と異なっている。
図１３は、実施の形態３にかかる表示制御装置１３０の機能構成の一例を示すブロック図である。
表示制御装置１３０は、コメント制御部１３１及びコメント記憶部１３２が追加された点で、上述した表示制御装置１２０と異なっている。なお、本実施の形態における映像出力部１０８は、空間表示制御部１０１、発表者用資料表示制御部１０６、参照資料解説表示制御部１２１、及び、コメント制御部１３１による制御にしたがった映像を、ヘッドマウントディスプレイ２００に出力する。
【００９４】
なお、実施の形態３にかかる表示制御装置１３０は、実施の形態２として説明した解説情報の表示機能を有するが、解説情報の表示機能を有さなくてもよい。
【００９５】
表示制御装置１３０も、図７に示したハードウェア構成を備えており、プロセッサ１５２がメモリ１５１から読み出したプログラムを実行することにより、コメント制御部１３１の処理が実現される。また、コメント記憶部１３２は、メモリ１５１又は記憶装置（図示せず）により実現される。
以下の説明では、表示制御装置１２０と重複する構成及び動作については説明を省略し、表示制御装置１００と異なる点について説明する。
【００９６】
本実施の形態における操作入力情報取得部１０４は、上述した操作入力情報に限らず、仮想現実空間を体験する視聴者５２０により入力されたコメントについての操作入力情報を取得する。なお、コメントは、発表者用資料表示制御部１０６により表示対象とされる資料（プレゼンテーション資料）に対するコメントであってもよいし、参照資料解説表示制御部１２１により表示対象とされる参照資料に対するコメントであってもよい。コメントについての操作入力情報は、資料中におけるコメント対象の位置と、コメント内容とを含む。視聴者５２０は、仮想現実空間に表示された資料においてコメントをしたい箇所を指定するとともにコメントを入力する操作入力を行なう。
【００９７】
コメント制御部１３１は、コメントについての操作入力情報に含まれるコメント対象の位置とコメント内容とを関連づけて管理する。コメント制御部１３１は、具体的には、コメント記憶部１３２に、コメント対象の位置とコメント内容とを関連づけたデータであるコメントデータを格納することによりコメントを管理する。このように、本実施の形態では、視聴者５２０は資料に対するコメントを提供することができる。また、提供されたコメントの内容がコメント対象の位置と関連付けて管理される。したがって、提供されたコメントが資料におけるどの内容に対するコメントであるのかを容易に特定することが可能である。
【００９８】
また、本実施の形態では、さらに、コメント制御部１３１は、資料の仮想現実空間内での表示の際に、当該資料におけるコメント対象の位置に関連づけて、当該コメント対象に対応するコメント内容を仮想現実空間内で表示するよう制御する。このため、視聴者５２０は、表示されている資料に対応するコメントについても閲覧することができる。
【００９９】
なお、コメント制御部１３１は、コメントの表示の際、ある資料に対するコメントを全ての視聴者５２０に開示してもよいが、本実施の形態では、コメント制御部１３１は所定の条件を満たした視聴者５２０に対してのみ他の視聴者５２０によるコメントを開示する。このため、表示制御装置１３０は、より詳細には次のように構成されている。
【０１００】
操作入力情報取得部１０４が取得するコメントについての操作入力情報は、より詳細には、資料中におけるコメント対象の位置とコメント内容とに加え、コメントの入力を行なった視聴者５２０を識別する識別情報を含む。また、コメント制御部１３１は、この識別情報と、コメント対象の位置と、コメント内容とを関連づけて管理する。そして、コメント制御部１３１は、資料の仮想現実空間内での表示の際にコメント内容を表示するか否かを当該コメント内容に関連づけられている識別情報に基づいて制御する。
【０１０１】
例えば、コメント制御部１３１は、コメントの入力者の識別情報と予め関連づけられている識別情報が対応づけられている視聴者５２０のヘッドマウントディスプレイ２００に対して、当該コメントの内容の表示を行なうよう制御する。言い換えると、コメント制御部１３１は、コメントの入力者の識別情報と予め関連づけられていない識別情報が対応づけられている視聴者５２０のヘッドマウントディスプレイ２００に対しは、当該コメントの内容の表示を行わないよう制御する。これにより、コメント制御部１３１は、例えば、同じグループ又はこのグループよりも権限が大きいグループに属する視聴者間では、コメントを共有できるように制御する。
【０１０２】
図１４は、コメント記憶部１３２に記憶されたコメントデータの例を示す図である。コメントデータは、例えば、図１４に示すように、コメントＩＤと、資料ＩＤと、ユーザＩＤと、グループＩＤと、ページ番号と、座標と、コメント内容とを含む。
【０１０３】
コメントＩＤは、コメントデータを識別する識別子である。
資料ＩＤは、コメント対象の資料を識別する識別子である。
ユーザＩＤは、いずれの視聴者５２０が入力したコメントであるかを識別する識別子である。
グループＩＤは、ユーザＩＤが属するグループ、すなわち、コメントを入力した視聴者５２０が属するグループを識別する識別子である。
ページ番号は、資料のどのページに対するコメントであるかを示す。
コメントデータを構成する座標データは、資料のページにおけるコメント対象の位置を示す座標データであり、コメント対象の左上端部の位置を示す第１の座標と当該コメント対象の右下端部の位置を示す第２の座標とからなる。なお、コメントデータのおける第１の座標及び第２の座標は、当該ページの左上端部の位置を（０，０，０）とし、当該ページの右下端部の位置を（１，１，１）とした場合の相対的な位置を示す座標である。したがって、コメントデータのおける第１の座標及び第２の座標の各軸の値は、０以上１以下の値で表される。
コメント内容は、入力されたコメントの内容を示す。
【０１０４】
コメント制御部１３１は、操作入力情報取得部１０４が取得したコメントについての操作入力情報に基づいて、図１４に示すようなコメントデータを生成し、コメント記憶部１３２に記憶する。なお、ユーザＩＤとグループＩＤとの対応関係については、表示制御装置１３０における図示しない構成により予め管理されているものとする。なお、コメントデータを構成する資料ＩＤについては、コメントについての操作入力情報として取得されてもよいし、表示状態記憶部１０３に記憶された表示状態データを参照することにより取得されてもよい。
【０１０５】
また、コメント制御部１３１は、コメントデータを生成すると、当該コメントデータに対応づけられた資料ＩＤの資料を表示中のヘッドマウントディスプレイ２００に対し、当該コメントデータに対応づけられたコメント内容を表示する。ただし、上述した通り、所定の条件を満たした視聴者５２０に対してのみ他の視聴者５２０によるコメントを開示する場合には、コメント制御部１３１は、当該コメントデータに対応づけられている識別情報に従って、表示するか否かを制御する。
【０１０６】
コメントを表示する場合、コメント制御部１３１は、コメント内容のみならず、コメントの入力者の識別情報を表示してもよい。また、識別情報とユーザ名とを表示制御装置１３０が予め対応づけて管理している場合には、コメント制御部１３１は、コメント内容とコメントの入力者の名前を表示してもよい。
【０１０７】
図１５は、実施の形態３にかかるヘッドマウントディスプレイ２００において表示される映像の一例を示す模式図である。
図１５において、表示２１０は、発表者用資料表示制御部１０６の制御により表示されるプレゼンテーション資料である。また、図１５において、表示２１１は、参照資料解説表示制御部１２１の制御により表示される参照資料である。さらに、表示２３０は、コメント制御部１３１の制御により表示されるコメントである。なお、表示２３０の表示位置は、例えば、コメントの対象となっている資料についての表示状態データで示される表示位置に基づいて、コメント制御部１３１によって計算される。例えば、コメント制御部１３１は、コメント対象に近接する位置をコメントの表示位置として算出する。また、コメント制御部１３１は、他の表示（例えば、表示２１０）と重複しない位置をコメントの表示位置として算出してもよい。コメント制御部１３１は、コメント対象とコメントとの対応関係が明確になるよう、これらを線で結ぶなどして、コメントを表示してもよい。
【０１０８】
また、図１５に示した例では、表示２１０、表示２１１、表示２３０に加え、表示２３１が仮想現実空間において表示される。表示２３１は、参照資料、解説情報、及びコメントについての操作入力のためのメニューである。
例えば、視聴者５２０がメニュー２１２Ｈをポインティングデバイスにより指定した後に表示されるサブメニュー（不図示）をポインティングデバイスにより指定することで、コメント対象の位置の指定及びコメントの入力ができる。コメント対象の位置の指定は、例えば、ポインティングデバイスを用いて行なわれる。また、コメントの入力は、キーボードを用いて行なわれる。なお、入力されるコメントは、自由な文字列ではなく、予め定められたコメントの選択肢から選ばれたものであってもよい。この場合、所定の選択肢をポインティングデバイスを用いて選択することでコメント内容が入力される。
【０１０９】
また、図１５に示した例では、さらに、表示２３２、２３３が仮想現実空間において表示される。例えば、表示２３２、２３３は、コメント制御部１３１の制御により表示される。表示２３２、２３３は、コメントを表示するか否かを視聴者５２０が選択するためのアイコンである。表示２３２が選択されている場合、コメント制御部１３１はコメントを表示するよう制御する。これに対し、表示２３３が選択されている場合、コメント制御部１３１はコメントを表示しないよう制御する。
【０１１０】
次に、実施の形態３の表示制御についての動作例について説明する。
図１６は、参照資料解説表示制御部１２１及びコメント制御部１３１の動作の一例を示すフローチャートである。図１６では、図８と同様、ユーザＸが装着しているヘッドマウントディスプレイ２００についての表示制御を示している。ユーザＸ以外の視聴者５２０が装着しているヘッドマウントディスプレイ２００についても、同様に表示制御が行なわれる。
【０１１１】
なお、図１６に示すフローチャートは、コメントの表示に関する制御が追加されている点で、図１２に示したフローチャートと異なっている。具体的には、図１６に示すフローチャートは、ステップＳ１１３及びステップＳ１１４が追加されている点で、図１２に示したフローチャートと異なっている。以下、図１６に沿って、動作の一例について説明する。ただし、図１２の説明と重複する説明については割愛する。
【０１１２】
図１２に示したフローチャートでは、ステップＳ１１１でＮｏである場合、処理がステップＳ１００に戻ったが、図１６に示すフローチャートでは、処理がステップＳ１１３へ移行する。
【０１１３】
ステップＳ１１３において、コメント制御部１３１は、操作入力情報取得部１０４により取得された操作入力情報がコメントの入力についての操作入力情報であるか否かを判定する。
取得された操作入力情報がコメントの入力についての操作入力情報である場合（ステップＳ１１３でＹｅｓ）、ステップＳ１１４において、コメント制御部１３１は、取得された操作入力情報に基づいて、コメント記憶部１３２に記憶するコメントデータを生成する。また、コメント制御部１３１は、入力されたコメント内容を仮想現実空間に表示するよう制御する。このとき、コメント制御部１３１は、入力されたコメント内容の閲覧が許可された視聴者５２０が装着するヘッドマウントディスプレイ２００に対し、当該コメントの表示を行なう。
取得された操作入力情報がコメントの入力についての操作入力情報ではない場合（ステップＳ１１３でＮｏ）、処理はステップＳ１００へ戻る。
【０１１４】
なお、図１２に示した制御の流れは一例に過ぎない。したがって、例えば、図１６に示した処理順序と異なる処理順序で制御が行なわれてもよい。
【０１１５】
以上、実施の形態３について説明した。本実施の形態によれば、視聴者５２０が入力したコメントの内容がコメント対象の位置と関連付けて管理される。したがって、入力されたコメントが資料におけるどの内容に対するコメントであるのかを容易に特定することが可能である。また、表示制御装置１３０によれば、仮想現実空間においてコメントが表示される。したがって、視聴者５２０はプレゼンテーションの進行中に、他の視聴者５２０のコメントを閲覧することができるので、資料の閲覧における利便性をさらに向上することができる。特に、上述した通り、コメントが資料中のどの記載箇所についてのコメントであるかを容易に特定することが可能であるため、コメントの表示においても、コメント対象と対応づけた表示が容易に可能である。
【０１１６】
なお、本発明は上記実施の形態に限られたものではなく、趣旨を逸脱しない範囲で適宜変更することが可能である。
【０１１７】
また、上記の実施形態の一部又は全部は、以下の付記のようにも記載されうるが、以下には限られない。
（付記１）
発表者が発表の際に用いるプレゼンテーション資料である第１の資料のうち現実空間に表示中のページを、仮想現実空間内の第１の位置に表示するよう制御する第１の表示制御手段と、
第２の資料を前記仮想現実空間内の前記第１の位置とは異なる第２の位置に表示するよう制御する第２の表示制御手段と、
前記仮想現実空間を体験する視聴者により入力された、前記第２の資料の表示についての操作入力情報である第１の操作入力情報を取得する操作入力情報取得手段と
を有し、
前記第２の表示制御手段は、前記第１の操作入力情報に基づいて、前記第２の資料の表示態様を変更する
表示制御装置。
（付記２）
前記操作入力情報取得手段は、さらに、前記仮想現実空間を体験する視聴者により入力された、前記第２の資料の内容における解説対象を指定する操作入力情報である第２の操作入力情報を取得し、
前記第２の表示制御手段は、前記第２の操作入力情報に基づいて、前記解説対象について解説する情報である解説情報を、前記仮想現実空間内にさらに表示する
付記１に記載の表示制御装置。
（付記３）
前記操作入力情報取得手段は、さらに、前記仮想現実空間を体験する視聴者により入力された、解説レベルを指定する操作入力情報である第３の操作入力情報を取得し、
前記第２の表示制御手段は、前記第３の操作入力情報に応じたレベルの解説情報の表示に切替える
付記２に記載の表示制御装置。
（付記４）
前記操作入力情報取得手段は、さらに、前記仮想現実空間を体験する視聴者により入力された、前記第１の資料又は前記第２の資料に対するコメントについての操作入力情報である第４の操作入力情報を取得し、
前記第４の操作入力情報は、資料中におけるコメント対象の位置と、コメント内容とを含み、
前記表示制御装置は、さらに、前記コメント対象の位置と、前記コメント内容とを関連づけて管理するコメント制御手段を有する
付記１乃至３のいずれか１項に記載の表示制御装置。
（付記５）
前記コメント制御手段は、前記第１の資料又は前記第２の資料の前記仮想現実空間内での表示の際に、前記第１の資料又は前記第２の資料における前記コメント対象の位置に関連づけて前記コメント内容を前記仮想現実空間内で表示するよう制御する
付記４に記載の表示制御装置。
（付記６）
前記第４の操作入力情報は、さらに、コメントの入力を行なった視聴者を識別する識別情報を含み、
前記コメント制御手段は、前記識別情報と、前記コメント対象の位置と、前記コメント内容とを関連づけて管理し、前記第１の資料又は前記第２の資料の前記仮想現実空間内での表示の際に前記コメント内容を表示するか否かを当該コメント内容に関連づけられている前記識別情報に基づいて制御する
付記５に記載の表示制御装置。
（付記７）
前記第２の表示制御手段は、前記第１の操作入力情報に基づいて、前記第２の資料の表示対象のページを変更する
付記１乃至６のいずれか１項に記載の表示制御装置。
（付記８）
前記第２の表示制御手段は、前記第１の操作入力情報に基づいて、前記第２の資料の表示サイズ及び前記第２の資料の表示位置のうち少なくともいずれか一方を変更する
付記１乃至６のいずれか１項に記載の表示制御装置。
（付記９）
前記第２の資料は前記プレゼンテーション資料である
付記１乃至８のいずれか１項に記載の表示制御装置。
（付記１０）
前記第２の資料は前記プレゼンテーション資料とは異なる資料である
付記１乃至８のいずれか１項に記載の表示制御装置。
（付記１１）
表示制御装置と、
前記表示制御装置の制御に従って仮想現実空間を提示するディスプレイと、
を備え、
前記表示制御装置は、
発表者が発表の際に用いるプレゼンテーション資料である第１の資料のうち現実空間に表示中のページを、仮想現実空間内の第１の位置に表示するよう制御する第１の表示制御手段と、
第２の資料を前記仮想現実空間内の前記第１の位置とは異なる第２の位置に表示するよう制御する第２の表示制御手段と、
前記仮想現実空間を体験する視聴者により入力された、前記第２の資料の表示についての操作入力情報である第１の操作入力情報を取得する操作入力情報取得手段と、
前記第１の表示制御手段及び前記第２の表示制御手段による制御にしたがった映像を出力する映像出力手段と
を有し、
前記第２の表示制御手段は、前記第１の操作入力情報に基づいて、前記第２の資料の表示態様を変更し、
前記ディスプレイは、前記表示制御装置の前記映像出力手段が出力した前記映像を前記視聴者に対し表示する
プレゼンテーションシステム。
（付記１２）
前記第２の表示制御手段は、前記第１の操作入力情報に基づいて、前記第２の資料の表示対象のページを変更する
付記１１に記載のプレゼンテーションシステム。
（付記１３）
発表者が発表の際に用いるプレゼンテーション資料である第１の資料のうち現実空間に表示中のページを、仮想現実空間内の第１の位置に表示し、
第２の資料を前記仮想現実空間内の前記第１の位置とは異なる第２の位置に表示し、
前記仮想現実空間を体験する視聴者により入力された、前記第２の資料の表示についての操作入力情報である第１の操作入力情報に基づいて、前記第２の資料の表示態様を変更する
表示制御方法。
（付記１４）
発表者が発表の際に用いるプレゼンテーション資料である第１の資料のうち現実空間に表示中のページを、仮想現実空間内の第１の位置に表示するよう制御する第１の表示制御ステップと、
第２の資料を前記仮想現実空間内の前記第１の位置とは異なる第２の位置に表示するよう制御する第２の表示制御ステップと、
前記仮想現実空間を体験する視聴者により入力された、前記第２の資料の表示についての操作入力情報である第１の操作入力情報を取得する操作入力情報取得ステップと
をコンピュータに実行させ、
前記第２の表示制御ステップでは、前記第１の操作入力情報に基づいて、前記第２の資料の表示態様を変更する
プログラムが格納された非一時的なコンピュータ可読媒体。
【０１１８】
以上、実施の形態を参照して本願発明を説明したが、本願発明は上記によって限定されるものではない。本願発明の構成や詳細には、発明のスコープ内で当業者が理解し得る様々な変更をすることができる。
【０１１９】
この出願は、２０１８年１１月６日に出願された日本出願特願２０１８−２０８８１１を基礎とする優先権を主張し、その開示の全てをここに取り込む。
【符号の説明】
【０１２０】
１    表示制御装置
２    第１の表示制御部
３    第２の表示制御部
４    操作入力情報取得部
１０    プレゼンテーションシステム
１００    表示制御装置
１０１    空間表示制御部
１０２    資料記憶部
１０３    表示状態記憶部
１０４    操作入力情報取得部
１０５    表示内容取得部
１０６    発表者用資料表示制御部
１０７    参照資料表示制御部
１０８    映像出力部
１２０    表示制御装置
１２１    参照資料解説表示制御部
１３０    表示制御装置
１３１    コメント制御部
１３２    コメント記憶部
１５０    ネットワークインタフェース
１５１    メモリ
１５２    プロセッサ
２００    ヘッドマウントディスプレイ
３００    端末装置
４００    表示装置
５００    発表者
５１０    視聴者
５２０    視聴者
【図１】
2020095784.tif 000003
【図２】
2020095784.tif 000004
【図３】
2020095784.tif 000005
【図４】
2020095784.tif 000006
【図５】
2020095784.tif 000007
【図６】
2020095784.tif 000008
【図７】
2020095784.tif 000009
【図８】
2020095784.tif 000010
【図９】
2020095784.tif 000011
【図１０】
2020095784.tif 000012
【図１１】
2020095784.tif 000013
【図１２】
2020095784.tif 000014
【図１３】
2020095784.tif 000015
【図１４】
2020095784.tif 000016
【図１５】
2020095784.tif 000017
【図１６】
2020095784.tif 000018
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
発表者が発表の際に用いるプレゼンテーション資料である第１の資料のうち現実空間に表示中のページを、仮想現実空間内の第１の位置に表示するよう制御する第１の表示制御手段と、
第２の資料を前記仮想現実空間内の前記第１の位置とは異なる第２の位置に表示するよう制御する第２の表示制御手段と、
前記仮想現実空間を体験する視聴者により入力された、前記第２の資料の表示についての操作入力情報である第１の操作入力情報を取得する操作入力情報取得手段と
を有し、
前記第２の表示制御手段は、前記第１の操作入力情報に基づいて、前記第２の資料の表示態様を変更する
表示制御装置。
【請求項２】
前記操作入力情報取得手段は、さらに、前記仮想現実空間を体験する視聴者により入力された、前記第２の資料の内容における解説対象を指定する操作入力情報である第２の操作入力情報を取得し、
前記第２の表示制御手段は、前記第２の操作入力情報に基づいて、前記解説対象について解説する情報である解説情報を、前記仮想現実空間内にさらに表示する
請求項１に記載の表示制御装置。
【請求項３】
前記操作入力情報取得手段は、さらに、前記仮想現実空間を体験する視聴者により入力された、解説レベルを指定する操作入力情報である第３の操作入力情報を取得し、
前記第２の表示制御手段は、前記第３の操作入力情報に応じたレベルの解説情報の表示に切替える
請求項２に記載の表示制御装置。
【請求項４】
前記操作入力情報取得手段は、さらに、前記仮想現実空間を体験する視聴者により入力された、前記第１の資料又は前記第２の資料に対するコメントについての操作入力情報である第４の操作入力情報を取得し、
前記第４の操作入力情報は、資料中におけるコメント対象の位置と、コメント内容とを含み、
前記表示制御装置は、さらに、前記コメント対象の位置と、前記コメント内容とを関連づけて管理するコメント制御手段を有する
請求項１乃至３のいずれか１項に記載の表示制御装置。
【請求項５】
前記コメント制御手段は、前記第１の資料又は前記第２の資料の前記仮想現実空間内での表示の際に、前記第１の資料又は前記第２の資料における前記コメント対象の位置に関連づけて前記コメント内容を前記仮想現実空間内で表示するよう制御する
請求項４に記載の表示制御装置。
【請求項６】
前記第４の操作入力情報は、さらに、コメントの入力を行なった視聴者を識別する識別情報を含み、
前記コメント制御手段は、前記識別情報と、前記コメント対象の位置と、前記コメント内容とを関連づけて管理し、前記第１の資料又は前記第２の資料の前記仮想現実空間内での表示の際に前記コメント内容を表示するか否かを当該コメント内容に関連づけられている前記識別情報に基づいて制御する
請求項５に記載の表示制御装置。
【請求項７】
前記第２の表示制御手段は、前記第１の操作入力情報に基づいて、前記第２の資料の表示対象のページを変更する
請求項１乃至６のいずれか１項に記載の表示制御装置。
【請求項８】
前記第２の表示制御手段は、前記第１の操作入力情報に基づいて、前記第２の資料の表示サイズ及び前記第２の資料の表示位置のうち少なくともいずれか一方を変更する
請求項１乃至６のいずれか１項に記載の表示制御装置。
【請求項９】
前記第２の資料は前記プレゼンテーション資料である
請求項１乃至８のいずれか１項に記載の表示制御装置。
【請求項１０】
前記第２の資料は前記プレゼンテーション資料とは異なる資料である
請求項１乃至８のいずれか１項に記載の表示制御装置。
【請求項１１】
表示制御装置と、
前記表示制御装置の制御に従って仮想現実空間を提示するディスプレイと、
を備え、
前記表示制御装置は、
発表者が発表の際に用いるプレゼンテーション資料である第１の資料のうち現実空間に表示中のページを、仮想現実空間内の第１の位置に表示するよう制御する第１の表示制御手段と、
第２の資料を前記仮想現実空間内の前記第１の位置とは異なる第２の位置に表示するよう制御する第２の表示制御手段と、
前記仮想現実空間を体験する視聴者により入力された、前記第２の資料の表示についての操作入力情報である第１の操作入力情報を取得する操作入力情報取得手段と、
前記第１の表示制御手段及び前記第２の表示制御手段による制御にしたがった映像を出力する映像出力手段と
を有し、
前記第２の表示制御手段は、前記第１の操作入力情報に基づいて、前記第２の資料の表示態様を変更し、
前記ディスプレイは、前記表示制御装置の前記映像出力手段が出力した前記映像を前記視聴者に対し表示する
プレゼンテーションシステム。
【請求項１２】
前記第２の表示制御手段は、前記第１の操作入力情報に基づいて、前記第２の資料の表示対象のページを変更する
請求項１１に記載のプレゼンテーションシステム。
【請求項１３】
発表者が発表の際に用いるプレゼンテーション資料である第１の資料のうち現実空間に表示中のページを、仮想現実空間内の第１の位置に表示し、
第２の資料を前記仮想現実空間内の前記第１の位置とは異なる第２の位置に表示し、
前記仮想現実空間を体験する視聴者により入力された、前記第２の資料の表示についての操作入力情報である第１の操作入力情報に基づいて、前記第２の資料の表示態様を変更する
表示制御方法。
【請求項１４】
発表者が発表の際に用いるプレゼンテーション資料である第１の資料のうち現実空間に表示中のページを、仮想現実空間内の第１の位置に表示するよう制御する第１の表示制御ステップと、
第２の資料を前記仮想現実空間内の前記第１の位置とは異なる第２の位置に表示するよう制御する第２の表示制御ステップと、
前記仮想現実空間を体験する視聴者により入力された、前記第２の資料の表示についての操作入力情報である第１の操作入力情報を取得する操作入力情報取得ステップと
をコンピュータに実行させ、
前記第２の表示制御ステップでは、前記第１の操作入力情報に基づいて、前記第２の資料の表示態様を変更する
プログラム。
【国際調査報告】
2020095784.tif 000019
2020095784.tif 000020
2020095784.tif 000021
2020095784.tif 000022
2020095784.tif 000023
2020095784.tif 000024